(57)【特許請求の範囲】
【請求項１】
機枠と、この機枠に対して第１ヒンジ機構を介して開閉可能に軸支された本体枠と、この本体枠に対して第２ヒンジ機構を介して開閉可能に軸支されたガラス扉と、前記機枠に対する前記本体枠の開放動作と前記本体枠に対する前記ガラス扉の開放動作とを検知可能な開閉検出手段とを備えたパチンコ機において、
前記開閉検出手段が、前記本体枠に設けられて上下方向へ延びる支軸と、この支軸に回転可能に積層配置された一対の回転レバーと、これら両回転レバーを前記機枠と前記ガラス扉に向けて互いに逆向きに回動付勢するばね部材と、前記両回転レバーの回動によって発光部から受光部に向かう光路が遮断される光透過型フォトセンサとを有しており、
前記フォトセンサの光路を前記支軸を中心とする円弧に沿って内側領域と外側領域とに２分したとき、一方の前記回転レバーの先端側に設けられた作動部が前記内側領域内を回動すると共に、他方の前記回転レバーの先端側に設けられた作動部が前記外側領域内を回動するようにしたことを特徴とするパチンコ機。
【請求項２】
請求項１の記載において、前記本体枠に着脱可能に取り付けられたベース部材を備え、このベース部材に設けられた前記支軸に前記両回転レバーの軸孔と前記ばね部材である捩りコイルばねの巻回部とを挿入すると共に、この捩りコイルばねの前記巻回部から外方へ突出する両腕部をそれぞれ前記回転レバーに掛止めし、かつ、前記ベース部材に下段側の前記回転レバーの回動角度を規制する第１ストッパ部を設けると共に、下段側の前記回転レバーに上段側の前記回転レバーの回動角度を規制する第２ストッパ部を設けたことを特徴とするパチンコ機。
【発明の詳細な説明】
【技術分野】
【０００１】
本発明は、遊技盤を目視可能なガラス扉が本体枠に対して開閉可能に支持されていると共に、この本体枠が機枠に対して開閉可能に支持されているパチンコ機に関するものである。
【背景技術】
【０００２】
一般的にパチンコ機は、遊技場の島設備に設置される縦長方形状の機枠（外枠）と、この機枠にヒンジ部を介して扉状に開閉可能に取り付けられた本体枠（前面枠）と、この本体枠の内側に収容された遊技盤と、本体枠の前面に別のヒンジ部を介して開閉可能に取り付けられたガラス扉とを備えており、ガラス扉の中央部に形成された開口部には遊技盤を目視可能な透明板が取り付けられている。本体枠の背面には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板、賞球数や扉開閉状態等のパチンコ機に関する各種情報を遊技場のホールコンピュータに出力する外部端子基板等が取り付けられている。
【０００３】
このように概略構成されたパチンコ機において、遊技者がガラス扉や本体枠を無断で開放して不正行為をするのを防止するために、通常は本体枠の背面と前面にそれぞれ検知スイッチを設け、これら２つの検知スイッチの出力信号に基づいて機枠に対する本体枠の開閉状態と本体枠に対するガラス扉の開閉状態とを個別に検知するようにしている。しかしながら、ガラス扉と本体枠の開閉状態を別々の検知スイッチを用いて検出しなければならないため、これら各検知スイッチの設置スペースが大きくなったり、各検知スイッチを払出基板または制御基板と電気的に接続するワイヤーハーネス類の引き回しが煩雑になり、コスト高や信頼性の低下を招来するという問題があった。
【０００４】
そこで、従来より、ガラス扉と本体枠の双方が閉じているときには、扉開閉方向の両側から加圧されて該加圧状態を検知し、ガラス扉と本体枠のいずれか一方または双方が開いているときには、片側または両側からの加圧が解除されて該加圧解除状態を検出するようにした検知手段を備え、この検知手段によってガラス扉の開閉状態と本体枠の開閉状態とをそれぞれ検知可能にしたパチンコ機が提案されている（例えば、特許文献１参照）。この検知手段は、本体枠おけるヒンジ部と反対側の自由端側に固定された取付板と、取付板に軸受スリーブを介して前後方向へ移動可能に支持されたプランジャと、プランジャを後方へ弾性付勢するスプリングと、プランジャの前端に当接可能な位置でガラス扉の背面に取り付けられたプッシュスイッチとによって構成されており、本体枠側に配置された取付板とプランジャおよびスプリング等は予め一体化されたユニット部品となっている。
【０００５】
このような検知手段を用いたパチンコ機においては、ガラス扉と本体枠の双方が閉じているとき、プランジャはその後端が機枠に当接することでスプリングの付勢力に抗して前方へ突出しているため、プッシュスイッチのアクチュエータがプランジャの前端に当接して押し込まれ、プッシュスイッチからオン／オフいずれかの信号が出力される。一方、機枠に対して本体枠が開放されると、プランジャはその後端が機枠から離れることでスプリングの付勢力によって後方へ移動し、それに伴ってアクチュエータがプッシュスイッチに内蔵された復帰ばねに付勢されて突出するため、プッシュスイッチからオン／オフの切替信号が出力される。また、閉じられた本体枠に対してガラス扉が開放されると、前方へ突出しているプランジャの前端からアクチュエータが離れるため、この場合もアクチュエータがプッシュスイッチに内蔵された復帰ばねに付勢されて突出し、プッシュスイッチからオン／オフの切替信号が出力される。したがって、プランジャやプッシュスイッチ等で構成される単一の検知手段を用いて、ガラス扉と本体枠の個別の開閉状態を検知することができる。
【先行技術文献】
【特許文献】
【０００６】
【特許文献１】特許第４１５９７２４号公報
【発明の概要】
【発明が解決しようとする課題】
【０００７】
しかしながら、特許文献１に開示された従来のパチンコ機では、取付板にプランジャやスプリング等を組み込んで一体化したユニット部品を本体枠の自由端側に取り付けると共に、ガラス扉の自由端側にプランジャの前端と接離可能なプッシュスイッチを取り付けることによって検知手段が構成されているため、検知手段の部品設置スペースが本体枠とガラス扉の両方に分散されてしまい、ユニット部品やプッシュスイッチをそれぞれの設置位置に取り付ける作業が面倒であるという問題があった。また、検知スイッチであるプッシュスイッチは本体枠の背面側に設けられた払出基板や制御基板等にワイヤーハーネス類を用いて電気的に接続しなければならないが、プッシュスイッチがガラス扉の自由端側に設置される関係上、ワイヤーハーネス類をガラス扉の自由端側から基端側のヒンジ部を経由して本体枠の払出基板や制御基板等まで引き回す必要があり、ワイヤーハーネス類の引き回し経路が非常に複雑になってしまうという問題もあった。
【０００８】
本発明は、このような従来技術の実情に鑑みてなされたもので、その目的は、本体枠に設けた単一の開閉検出手段によってガラス扉と本体枠の開閉状態を個別に検知することができるパチンコ機を提供することにある。
【課題を解決するための手段】
【０００９】
上記した目的を達成するために、本発明は、機枠と、この機枠に対して第１ヒンジ機構を介して開閉可能に軸支された本体枠と、この本体枠に対して第２ヒンジ機構を介して開閉可能に軸支されたガラス扉と、前記機枠に対する前記本体枠の開放動作と前記本体枠に対する前記ガラス扉の開放動作とを検知可能な開閉検出手段とを備えたパチンコ機において、前記開閉検出手段が、前記本体枠に設けられて上下方向へ延びる支軸と、この支軸に回転可能に積層配置された一対の回転レバーと、これら両回転レバーを前記機枠と前記ガラス扉に向けて互いに逆向きに回動付勢するばね部材と、前記両回転レバーの回動によって発光部から受光部に向かう光路が遮断される光透過型フォトセンサとを有しており、前記フォトセンサの光路を前記支軸を中心とする円弧に沿って内側領域と外側領域とに２分したとき、一方の前記回転レバーの先端側に設けられた作動部が前記内側領域内を回動すると共に、他方の前記回転レバーの先端側に設けられた作動部が前記外側領域内を回動するようにした。
【００１０】
このように構成されたパチンコ機では、ガラス扉と本体枠の双方が閉じているとき、一対の回転レバーがそれぞれ機枠の前面とガラス扉の背面に当接することにより、両回転レバーの先端側に設けられた作動部は共にフォトセンサの光路を遮断する初期位置にあるため、フォトセンサから扉閉鎖状態を示す信号が出力される。そして、機枠に対して本体枠が開放動作されると、それまで機枠に当接していた一方の回転レバーがばね部材の付勢力を受けて支軸を中心に一方向へ回転し、それに伴って一方の作動部がフォトセンサの光路を２分する一方の領域から外れるため、発光部から出射される光量の約半分が受光部に達することにより、フォトセンサから扉開放状態を示す信号が出力される。同様に、本体枠に対してガラス扉が開放動作されると、それまでガラス扉に当接していた他方の回転レバーがばね部材の付勢力を受けて支軸を中心に他方向へ回転し、それに伴って他方の作動部がフォトセンサの光路を２分する多方の領域から外れるため、発光部から出射される光量の約半分が受光部に達することにより、フォトセンサから扉開放状態を示す信号が出力される。ここで、開閉検出手段を構成する一対の回転レバーとばね部材およびフォトセンサは全て本体枠に集約的に配置されるため、本体枠に設けた単一の開閉検出手段によってガラス扉と本体枠の開閉状態を個別に検知することができ、フォトセンサに接続されるワイヤーハーネス類の引き回しを本体枠側のみで簡単に行うことができる。
【００１１】
上記の構成において、本体枠に着脱可能に取り付けられたベース部材を備え、このベース部材に設けられた支軸に両回転レバーの軸孔とばね部材である捩りコイルばねの巻回部とを挿入すると共に、この捩りコイルばねの巻回部から外方へ突出する両腕部をそれぞれ回転レバーに掛止めし、かつ、ベース部材に下段側の回転レバーの回動角度を規制する第１ストッパ部を設けると共に、下段側の回転レバーに上段側の回転レバーの回動角度を規制する第２ストッパ部を設けると、開閉検出手段の構成部品を全てベース部材に組み込んで１つのユニット品として取り扱うことが可能となるだけでなく、かかるユニット品の状態で両回転レバーが一定の開き角度で安定的に保持されるため、開閉検出手段の本体枠に対する組立作業性を著しく高めることができる。
【発明の効果】
【００１２】
本発明のパチンコ機は、機枠に対する本体枠の開放動作と本体枠に対するガラス扉の開放動作とを検知可能な開閉検出手段が、本体枠に設けられて上下方向へ延びる支軸と、この支軸に回転可能に積層配置された一対の回転レバーと、これら両回転レバーを機枠とガラス扉に向けて互いに逆向きに回動付勢するばね部材と、両回転レバーの回動によって発光部から受光部に向かう光路が遮断される光透過型フォトセンサとを有すると共に、両回転レバーの先端側に設けられた作動部がフォトセンサの光路を２分する内側領域と外側領域を別々に回動するように構成されているため、本体枠に設けられた単一の開閉検出手段によってガラス扉と本体枠の開閉状態を個別に検知することができ、フォトセンサに接続されるワイヤーハーネス類の引き回しを本体枠側のみで行うことができる。
【図面の簡単な説明】
【００１３】
【図１】本発明の実施形態例に係るパチンコ機の斜視図である。
【図２】図１に示すパチンコ機のガラス扉を開放した状態の斜視図である。
【図３】図１に示すパチンコ機のガラス扉と本体枠を開放した状態の斜視図である。
【図４】図１に示すパチンコ機の背面図である。
【図５】図１のパチンコ機に備えられる扉開閉検出装置の斜視図である。
【図６】該扉開閉検出装置の分解斜視図である。
【図７】該扉開閉検出装置に備えられるフォトセンサの説明図である。
【図８】該扉開閉検出装置の平面方向から見た動作説明図である。
【発明を実施するための形態】
【００１４】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１５】
図２と図３に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１６】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００１７】
本体枠２の右側枠部は第１ヒンジ機構と反対側の自由端側であり、この右側枠部にはシリンダ錠１１ａを有する施錠装置１１が設置されている。図示せぬが、この施錠装置１１は本体枠２の裏面に配置された後部施錠杆と本体枠２の前面に配置された前部施錠杆とを備えており、常態では、施錠装置１１の後部施錠杆により本体枠２が機枠１に対して施錠されると共に、前部施錠杆によりガラス扉３が本体枠２に対して施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。さらに、本体枠２の自由端側の右下隅部には後述する扉開閉検出装置３０が組み込まれており、この扉開閉検出装置３０によって本体枠２の機枠１に対する開閉状態とガラス扉３の本体枠２に対する開閉状態とを個別に検知可能となっている。
【００１８】
ガラス扉３の左側枠部の上下両端には第２ピン（図示省略）が設けられており、これら両第２ピンを本体枠２の左側枠部に突設した上下の支持板２ａに軸支することによって、ガラス扉３を本体枠２に対して開閉自在に支持する第２ヒンジ機構が構成されている。
【００１９】
図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１３の右側方には発射装置１０の発射強度を調整するための操作ハンドル１６が配設されている。
【００２０】
図４に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前述した賞球払出装置１９と、主制御基板１７からの指令を受けて賞球払出装置１９を制御する払出制御基板２０と、操作ハンドル１６の回動量に応じて発射装置１０の作動を制御する発射制御基板２１と、扉開閉検出装置３０の検知信号や大当たり回数等の各種情報を遊技場のホールコンピュータに出力する外部端子基板２２等が設けられている。
【００２１】
図５と図６に示すように、前記扉開閉検出装置３０は、上下方向へ延びる支軸３１が立設されたベース部材３２と、支軸３１に回転可能に支持された下側回転レバー３３および上側回転レバー３４と、これら両回転レバー３３，３４を機枠１とガラス扉３に向けて互いに逆向きに回動付勢する捩りコイルばね（ばね部材）３５と、両回転レバー３３，３４の回転を検出する光透過型のフォトセンサ３６とによって構成されており、両回転レバー３３，３４と捩りコイルばね３５およびフォトセンサ３６はベース部材３２に組み込まれて１つのユニット部品として構成されている。
【００２２】
ベース部材３２には支軸３１の下端を包囲する台座３２ａが設けられており、この台座３２ａには第１ストッパ部である切り欠き３２ｂが形成されている。また、ベース部材３２には一対の取付孔３２ｃが形成されており、これら取付孔３２ｃに図示せぬネジを挿通して本体枠２に螺入することにより、図２と図３に示すように、ベース部材３２を含む扉開閉検出装置３０のユニット部品は本体枠２の右下隅部に取り付けられている。
【００２３】
下側回転レバー３３には、軸孔３３ａを有する円筒部３３ｂと、円筒部３３ｂの外周面から外側へ突出するアーム片３３ｃと、円筒部３３ｂの外周面から上方へＬ字状に突出する第２ストッパ部である受部３３ｄと、円筒部３３ｂの下面から下方へ突出する突部３３ｅとが形成されており、アーム片３３ｃは先端部近傍に第１作動部３３ｆを有している。上側回転レバー３４には、軸孔３４ａを有する円筒部３４ｂと、円筒部３４ｂの外周面から外側へ突出するアーム片３４ｃとが形成されており、アーム片３４ｃは先端側に第２作動部３４ｄを有している。そして、下側回転レバー３３の軸孔３３ａと上側回転レバー３４の軸孔３４ａとを捩りコイルばね３５を挟んで支軸３１に順次挿入した後、支軸３１の上端面に鍔付きネジ３７を螺入することにより、両回転レバー３３，３４は脱落が防止された状態で支軸３１に回転可能に支持される。ここで、第１作動部３３ｆと第２作動部３４ｄは両回転レバー３３，３４のアーム片３３ｃ，３４ｃから互いに逆向きに突出しているが、両回転レバー３３，３４の回転中心（支軸３１の中心）からの距離は第１作動部３３ｆよりも第２作動部３４ｄの方が長く設定されており、第１および第２作動部３３ｆ，３４ｄは半径を異にする円弧上を回動するようになっている。
【００２４】
捩りコイルばね３５は、支軸３１の周囲に巻回された巻回部３５ａと、巻回部３５ａの両端から外方へ突出する一対の腕部３５ｂ，３５ｃとを有しており、一方の腕部３５ｂは下側回転レバー３３のアーム片３３ｃに掛止され、他方の腕部３５ｃは上側回転レバー３４のアーム片３４ｃに掛止されている。これにより、下側回転レバー３３と上側回転レバー３４は捩りコイルばね３５の弾発力を受けて互いに逆向きに回動付勢され、下側回転レバー３３の付勢方向の回転角度は突部３３ｅが切り欠き３２ｂの一端部に当接することで規制され、上側回転レバー３４の付勢方向の回転角度はアーム片３４ｃが受部３３ｄに当接することで規制される。つまり、ベース部材３２の台座３２ａに下側回転レバー３３の回転角度を規制する切り欠き（第１ストッパ部）３２ｂが設けられ、この下側回転レバー３３に上側回転レバー３４の回転角度を規制する受部（第２ストッパ部）３３ｄが設けられている。
【００２５】
フォトセンサ３６は透過光の遮光の有無を検出するフォトインタラプタと呼ばれる光センサであり、図７に示すように、このフォトセンサ３６は凹溝３６ａを挟んで対向配置された発光素子３８と受光素子３９とを有している。発光素子３８は例えば赤外発光ダイオードからなり、この発光素子３８は凹溝３６ａの内底面に配置されて上方へ赤外光を発光する発光部である。受光素子３９は例えばフォトトランジスタからなり、この受光素子３９は凹溝３６ａの天井面に配置されて発光素子３８から発光される赤外光を受光する受光部である。発光素子３８から発光されて発光素子３８に至る赤外光の経路が光路４０であり、受光素子３９が発光素子３８からの赤外光を受光すると、その受光量に比例したコレクタ電流が出力され、光路４０が遮断されて受光素子３９の受光量がゼロになると、コレクタ電流は流れなくなる。
【００２６】
図５に示すように、このフォトセンサ３６は凹溝３６ａを支軸３１に対向させた状態でベース部材３２上に実装されており、下側回転レバー３３の第１作動部３３ｆと上側回転レバー３４の第２作動部３４ｄとがフォトセンサ３６の凹溝３６ａに対して出入可能となっている。前述したように、第１作動部３３ｆと第２作動部３４ｄは支軸３１の中心からの長さを異にしているため、図７に示すように、フォトセンサ３６の光路４０を支軸３１を中心とする円弧Ｍで平面的に２分したとき、第１作動部３３ｆは光路４０を２分する内側領域Ｓ１内を回動し、第２作動部３４ｄは光路４０を２分する外側領域Ｓ２内を回動することになる。したがって、第１作動部３３ｆと第２作動部３４ｄが共に光路４０内に位置している場合は、発光素子３８から発光される赤外光が両作動部３３ｆ，３４ｄで遮断されて受光素子３９に到達しないため、受光素子３９にはコレクタ電流が流れない状態となる。これに対し、第１作動部３３ｆと第２作動部３４ｄのいずれか一方が光路４０から退避した場合は、発光素子３８から発光される赤外光の約半分が受光素子３９で受光されるため、受光素子３９に所定のコレクタ電流が流れる。そして、かかる受光素子３９のコレクタ電流の変化をフォトセンサ３６から出力することにより、フォトセンサ３６の出力信号に基づいて光路４０内における両作動部３３ｆ，３４ｄの存否を検出することができる。
【００２７】
このように構成された扉開閉検出装置３０は、図５に示すように、ベース部材３２に両回転レバー３３，３４と捩りコイルばね３５およびフォトセンサ３６等を組み込んでユニット化することができるため、パチンコ機Ｐに取り付ける前の部品管理や搬送時等において１つのユニット部品として取り扱うことができる。しかも、ベース部材３２の台座３２ａに下側回転レバー３３の回転角度を規制する切り欠き（第１ストッパ部）３２ｂを設けると共に、この下側回転レバー３３に上側回転レバー３４の回転角度を規制する受部（第２ストッパ部）３３ｄを設けているため、かかるユニット品の状態で両回転レバー３３，３４を一定の開き角度で安定的に保持することができ、扉開閉検出装置３０を本体枠２に対して簡単に組み付けることができる。以下、かかる扉開閉検出装置３０の動作を主として図８に基づいて説明する。
【００２８】
本実施形態例に係るパチンコ機Ｐにおいて、常態では、本体枠２が機枠１に対して閉じられていると共に、ガラス扉３が本体枠２に対して閉じられているため、図８（ａ）に示すように、扉開閉検出装置３０の下側回転レバー３３と上側回転レバー３４の各アーム片３３ｃ，３４ｃはそれぞれ機枠１の前面とガラス扉３の背面の凸部３ｂに当接し、両アーム片３３ｃ，３４ｃは捩りコイルばね３５の付勢力に抗して最も近接した位置（これを初期位置と呼ぶ）で停止している。この場合、下側回転レバー３３の第１作動部３３ｆと上側回転レバー３４の第２作動部３４ｄは共にフォトセンサ３６の凹溝３６ａ内にあり、これら両作動部３３ｆ，３４ｄが発光素子３８から受光素子３９に向かう光路４０を遮断しているため、受光素子３９にはコレクタ電流が流れない状態となっており、フォトセンサ３６から扉閉鎖状態を示すオフ信号が出力される。
【００２９】
図８（ｂ）に示すように、本体枠２が第１ヒンジ機構を中心に回転しながら機枠１に対して開放動作されると、それまでアーム片３３ｃを機枠１の前面に当接させていた下側回転レバー３３が捩りコイルばね３５の付勢力によって矢印Ｑ１方向に回転し、突部３３ｅが切り欠き３２ｂの一端部に当接した時点で下側回転レバー３３は停止する。このようにして下側回転レバー３３が初期位置から所定角度だけ回転すると、第１作動部３３ｆが光路４０の内側領域Ｓ１から退避してフォトセンサ３６の外側へ移動するため、発光素子３８から発光される赤外光の約半分が受光素子３９で受光される。その結果、受光素子３９に所定のコレクタ電流が流れるため、このコレクタ電流の変化によってフォトセンサ３６から扉開放状態を示すオン信号が出力される。
【００３０】
また、図８（ｃ）に示すように、ガラス扉３が第２ヒンジ機構を中心に回転しながら本体枠２に対して開放動作されると、それまでアーム片３４ｃをガラス扉３の凸部３ｂに当接させていた上側回転レバー３４が捩りコイルばね３５の付勢力によって矢印Ｑ２方向に回転し、アーム片３４ｃが下側回転レバー３３の受部３３ｄに当接した時点で上側回転レバー３４は停止する。このようにして上側回転レバー３４が初期位置から所定角度だけ回転すると、第２作動部３４ｄが光路４０の外側領域Ｓ２から退避してフォトセンサ３６の外側へ移動するため、発光素子３８から発光される赤外光の約半分が受光素子３９で受光される。その結果、受光素子３９に所定のコレクタ電流が流れるため、このコレクタ電流の変化によってフォトセンサ３６から扉開放状態を示すオン信号が出力される。なお、フォトセンサ３６には図示せぬワイヤーハーネス類が接続されており、このワイヤーハーネス類を本体枠２の背面側の払出制御基板２０または主制御基板１７等を介して外部端子基板２２に接続することにより、フォトセンサ３６から扉開放状態を示すオン信号が出力されたときに、本体枠２やガラス扉３が開放動作されたことをスピーカ６，１２からの警報音で外部に報知したり、遊技場のホールコンピュータに扉開放信号を送信することができるようになっている。
【００３１】
以上説明したように、本実施形態例に係るパチンコ機Ｐでは、機枠１に対する本体枠２の開放動作と本体枠２に対するガラス扉３の開放動作とを検知可能な扉開閉検出装置３０が本体枠２に設置されており、この扉開閉検出装置３０が、上下方向へ延びる支軸３１と、支軸３１に回転可能に積層配置された下側回転レバー３３および上側回転レバー３４と、これら両回転レバー３３，３４を機枠１とガラス扉３に向けて互いに逆向きに回動付勢する捩りコイルばね３５と、両回転レバー３３，３４の回動によって発光素子３８から受光素子３９に向かう光路４０が遮断される光透過型のフォトセンサ３６とを備えると共に、両回転レバー３３，３４の先端側に設けられた第１および第２作動部３３ｆ，３４ｄがフォトセンサ３６の光路４０を２分する内側領域Ｓ１と外側領域Ｓ２を別々に回動するようになっているため、本体枠２に設置された単一の扉開閉検出装置３０によってガラス扉３と本体枠２の開閉状態を個別に検知することができ、フォトセンサ３６に接続されるワイヤーハーネス類の引き回しを本体枠２側のみで簡単に行うことができる。
【００３２】
また、本体枠２に着脱可能に取り付けられたベース部材３２を備え、このベース部材３２に立設された支軸３１に両回転レバー３３，３４の軸孔３３ａ，３４ａと捩りコイルばね３５の巻回部３５ａとを挿入すると共に、捩りコイルばね３５の巻回部３５ａから外方へ突出する両腕部３５ｂ，３５ｃをそれぞれ両回転レバー３３，３４のアーム片３３ｃ，３４ｃに掛止めし、かつ、ベース部材３２に下側回転レバー３３の回転角度を規制する切り欠き（第１ストッパ部）３２ｂを設けると共に、下側回転レバー３３に上側回転レバー３４の回転角度を規制する受部（第２ストッパ部）３３ｄを設けているため、扉開閉検出装置３０の構成部品を全てベース部材３２に組み込んで１つのユニット品として取り扱うことが可能となるだけでなく、かかるユニット品の状態で両回転レバー３３，３４が一定の開き角度で安定的に保持されるため、扉開閉検出装置３０の本体枠２に対する組立作業性を著しく高めることができる。
【００３３】
なお、上記実施形態例では、扉開閉検出装置３０を本体枠２の右下隅部に取り付けた場合について説明したが、扉開閉検出装置３０の取付位置は本体枠２の自由端側であればどこでも良く、例えば、扉開閉検出装置３０を本体枠２の右上隅部に取り付けることも可能である。
【符号の説明】
【００３４】
１  機枠
２  本体枠
３  ガラス扉
７  遊技盤
９  遊技領域
１１  施錠装置
１７  主制御基板
１８  副制御基板
２２  外部端子基板
３０  扉開閉検出装置
３１  支軸
３２  ベース部材
３２ａ  台座
３２ｂ  切り欠き（第１ストッパ部）
３２ｃ  取付孔
３３  下側回転レバー
３３ａ  軸孔
３３ｂ  円筒部
３３ｃ  アーム片
３３ｄ  受部（第２ストッパ部）
３３ｅ  突部
３３ｆ  第１作動部
３４  上側回転レバー
３４ａ  軸孔
３４ｂ  円筒部
３４ｃ  アーム片
３４ｄ  第２作動部
３５  捩りコイルばね（ばね部材）
３５ａ  巻回部
３５ｂ，３５ｃ  腕部
３６  フォトセンサ
３６ａ  凹溝
３７  鍔付きネジ
３８  発光素子（発光部）
３９  受光素子（受光部）
４０  光路
Ｓ１  内側領域
Ｓ２  外側領域
Ｐ  パチンコ機
【図１】
0005820180.tif 000002
【図２】
0005820180.tif 000003
【図３】
0005820180.tif 000004
【図４】
0005820180.tif 000005
【図５】
0005820180.tif 000006
【図６】
0005820180.tif 000007
【図７】
0005820180.tif 000008
【図８】
0005820180.tif 000009